(57)【要約】【課題】カメラ本体の姿勢に関係なく、ユーザがモニタの表示を見易い表示装置及びカメラ並びにカメラシステムを提供することである。【解決手段】情報表示可能な可動モニタ部３８は、カメラ本体２０から引き出した状態で使用可能である。この可動モニタ部３８内には、該可動モニタ部３８の姿勢を検知する姿勢検知スイッチＡ３９が設けられている。この姿勢検知スイッチＡ３９の出力に基づいて、シーケンスコントローラ７０により、上記可動モニタ部３８の液晶モニタ４３に表示する情報の向きが設定される。【選択図】      図４
2007310160.tif 000002
【特許請求の範囲】
【請求項１】
情報表示可能なもので、本体から引き出した状態で使用可能な可動モニタと、
上記可動モニタ内に設けられ、上記可動モニタの姿勢を検知する第１の姿勢検知手段と、
上記第１の姿勢検知手段の出力に基づいて、上記可動モニタに表示する情報の向きを設定する表示制御手段と、
を具備することを特徴とする表示装置。
【請求項２】
上記可動モニタは、画像情報、若しくは文字情報を表示することを特徴とする請求項１に記載の表示装置。
【請求項３】
請求項１乃至２に記載の表示装置を具備することを特徴とするカメラ。
【請求項４】
上記カメラは、上記可動モニタが収納される収納部と、上記可動モニタが上記収納部から引き出されているか否かを判定する判定手段と、を具備しており、
上記判定手段によって上記可動モニタが引き出されていると判定された場合に、上記表示制御手段は、上記第１の姿勢検知手段の出力に基づいて上記可動モニタに表示する情報の向きを制御することを特徴とする請求項３に記載のカメラ。
【請求項５】
上記カメラは、上記カメラの本体の姿勢を検知する第２の姿勢検知手段を更に具備し、
上記表示制御手段は、上記第１の姿勢検知手段と、上記第２の姿勢検知手段と、上記判定手段の出力に基づいて、上記可動モニタに表示する情報の向きを制御することを特徴とする請求項３に記載のカメラ。
【請求項６】
上記表示制御手段は、上記判定手段によって上記可動モニタが上記収納位置にあると判定された場合には、上記第２の姿勢検知手段の出力に基づき、上記収納位置に無いと判定された場合には、上記第１の姿勢検知手段の出力に基づいて、上記可動モニタに表示する情報の向きを制御することを特徴とする請求項５に記載のカメラ。
【請求項７】
カメラ本体と、
上記カメラ本体から引き出した状態で使用可能であって、その表示面に情報表示が可能な可動モニタと、
上記可動モニタ内に設けられ、上記可動モニタの姿勢を検知する第１の姿勢検知手段と、
上記第１の姿勢検知手段の出力に基づいて、上記可動モニタの表示面に表示する情報の向きを設定する表示制御手段と、
を具備することを特徴とするカメラ。
【請求項８】
上記可動モニタは、画像情報、若しくは文字情報を表示することを特徴とする請求項７に記載の表示装置。
【請求項９】
上記カメラ本体の収納位置として上記可動モニタが収納される収納部と、上記可動モニタが上記収納部から引き出されているか否かを判定する判定手段と、を更に具備し、
上記判定手段によって上記可動モニタが上記カメラ本体から引き出されていると判定された場合に、上記表示制御手段は、上記第１の姿勢検知手段の出力に基づいて上記可動モニタの表示面に表示する情報の向きを制御することを特徴とする請求項８に記載のカメラ。
【請求項１０】
上記可動モニタが上記収納部と接触した状態であるか否かを検知する収納検知スイッチを更に具備し、
上記判定手段は、上記収納検知スイッチの状態に基づいて上記可動モニタが上記カメラ本体から引き出されているか否かを判定することを特徴とする請求項９に記載のカメラ。
【請求項１１】
上記カメラ本体内に、該カメラ本体の姿勢を検知する第２の姿勢検知手段を更に具備し、
上記表示制御手段は、上記第１の姿勢検知手段と、上記第２の姿勢検知手段と、上記判定手段の出力に基づいて、上記可動モニタの表示面に表示する情報の向きを制御することを特徴とする請求項１０に記載のカメラ。
【請求項１２】
上記表示制御手段は、上記判定手段によって、上記可動モニタが上記収納位置にあると判定された場合には上記第２の姿勢検知手段の出力に基づき、上記可動モニタが上記収納位置に無いと判定された場合には上記第１の姿勢検知手段の出力に基づいて、上記可動モニタの表示面に表示する情報の向きを制御することを特徴とする請求項１１に記載のカメラ。
【請求項１３】
上記可動モニタは、その表示面及び上記第１の検知手段が上記カメラ本体の長手方向を軸方向として回動可能に設けられていることを特徴とする請求項９に記載のカメラ。
【請求項１４】
請求項７乃至１３の何れか１項に記載のカメラと、
上記カメラの交換レンズが装着可能な電子顕微鏡と、
を具備することを特徴とするカメラシステム。
【発明の詳細な説明】
【技術分野】
【０００１】
本発明は表示装置及びカメラ並びにカメラシステムに関し、より詳しくは、ユーザがモニタの表示を見易いように該モニタをカメラ本体から引き出し可能なカメラに関するものである。
【背景技術】
【０００２】
デジタルカメラに於いて、可動式のＴＦＴモニタを備えるものであって、カメラ本体の姿勢を検知し、該ＴＦＴモニタに表示する画像や文字情報の向きを変更することは、一般的である。
【０００３】
例えば、下記特許文献１には、カメラ部とモニタ部の回転角度を検出して、画像をミラー反転する技術が記載されている。また、下記特許文献２には、カメラの姿勢を検知して、常に正位置での画像を表示するようにした技術が記載されている。更に、下記特許文献３には、カメラに対して平行な面では正位置、反対の面では反対の表示を行う技術が記載されている。
【特許文献１】特許公報第３０５０４７４号
【特許文献２】特開２０００−１８４２６３号公報
【特許文献３】特許公報第２８４０５９４号
【発明の開示】
【発明が解決しようとする課題】
【０００４】
ところで、カメラを顕微鏡等に装着して撮影を行う場合、顕微鏡本体にアタッチメントを取り付け、このアタッチメントにカメラのレンズ鏡筒を取り付けるのが一般的である。したがって、レンズ鏡筒を下向きに取り付けるためカメラ本体も下向きとなり、通常カメラ本体の背面に配置されたモニタが見難い状態となっている。そのため、可動式のモニタを有するカメラでは、モニタの部分を動かして、ユーザにとって見易い状態に設定するようにしている。
【０００５】
しかしながら、上述した特許文献１乃至３に記載のカメラでは、カメラ本体の向きと実際にユーザが見ようとする向きが一致しないことがある。例えば、上述した顕微鏡に装着した場合、モニタがカメラ本体から起こされた状態で見ると、実際の被写体とは逆向きに表示されることがある。つまり、カメラ本体を含むレンズが下向きの状態でモニタがこれと異なる角度に設定されているような場合、モニタに表示された像は、ユーザにとって見難い画像になってしまう。
【０００６】
したがって、本発明は上記課題に鑑みてなされたものであり、その目的は、カメラ本体の姿勢に関係なく、ユーザがモニタの表示を見易い表示装置及びカメラ並びにカメラシステムを提供することである。
【課題を解決するための手段】
【０００７】
すなわち請求項１に記載の発明は、情報表示可能なもので、本体から引き出した状態で使用可能な可動モニタと、上記可動モニタ内に設けられ、上記可動モニタの姿勢を検知する第１の姿勢検知手段と、上記第１の姿勢検知手段の出力に基づいて、上記可動モニタに表示する情報の向きを設定する表示制御手段と、を具備することを特徴とする。
【０００８】
請求項２に記載の発明は、請求項１に記載の発明に於いて、上記可動モニタは、画像情報、若しくは文字情報を表示することを特徴とする。
【０００９】
請求項３に記載の発明は、請求項１乃至２に記載の表示装置を具備することを特徴とする。
【００１０】
請求項４に記載の発明は、請求項３に記載の発明に於いて、上記カメラは、上記可動モニタが収納される収納部と、上記可動モニタが上記収納部から引き出されているか否かを判定する判定手段と、を具備しており、上記判定手段によって上記可動モニタが引き出されていると判定された場合に、上記表示制御手段は、上記第１の姿勢検知手段の出力に基づいて上記可動モニタに表示する情報の向きを制御することを特徴とする。
【００１１】
請求項５に記載の発明は、請求項３に記載の発明に於いて、上記カメラは、上記カメラの本体の姿勢を検知する第２の姿勢検知手段を更に具備し、上記表示制御手段は、上記第１の姿勢検知手段と、上記第２の姿勢検知手段と、上記判定手段の出力に基づいて、上記可動モニタに表示する情報の向きを制御することを特徴とする。
【００１２】
請求項６に記載の発明は、請求項５に記載の発明に於いて、上記表示制御手段は、上記判定手段によって上記可動モニタが上記収納位置にあると判定された場合には、上記第２の姿勢検知手段の出力に基づき、上記収納位置に無いと判定された場合には、上記第１の姿勢検知手段の出力に基づいて、上記可動モニタに表示する情報の向きを制御することを特徴とする。
【００１３】
請求項７に記載の発明は、カメラ本体と、上記カメラ本体から引き出した状態で使用可能であって、その表示面に情報表示が可能な可動モニタと、上記可動モニタ内に設けられ、上記可動モニタの姿勢を検知する第１の姿勢検知手段と、上記第１の姿勢検知手段の出力に基づいて、上記可動モニタの表示面に表示する情報の向きを設定する表示制御手段と、を具備することを特徴とする。
【００１４】
請求項８に記載の発明は、請求項７に記載の発明に於いて、上記可動モニタは、画像情報、若しくは文字情報を表示することを特徴とする。
【００１５】
請求項９に記載の発明は、請求項８に記載の発明に於いて、上記カメラ本体の収納位置として上記可動モニタが収納される収納部と、上記可動モニタが上記収納部から引き出されているか否かを判定する判定手段と、を更に具備し、上記判定手段によって上記可動モニタが上記カメラ本体から引き出されていると判定された場合に、上記表示制御手段は、上記第１の姿勢検知手段の出力に基づいて上記可動モニタの表示面に表示する情報の向きを制御することを特徴とする。
【００１６】
請求項１０に記載の発明は、請求項９に記載の発明に於いて、上記可動モニタが上記収納部と接触した状態であるか否かを検知する収納検知スイッチを更に具備し、上記判定手段は、上記収納検知スイッチの状態に基づいて上記可動モニタが上記カメラ本体から引き出されているか否かを判定することを特徴とする。
【００１７】
請求項１１に記載の発明は、請求項１０に記載の発明に於いて、上記カメラ本体内に、該カメラ本体の姿勢を検知する第２の姿勢検知手段を更に具備し、上記表示制御手段は、上記第１の姿勢検知手段と、上記第２の姿勢検知手段と、上記判定手段の出力に基づいて、上記可動モニタの表示面に表示する情報の向きを制御することを特徴とする。
【００１８】
請求項１２に記載の発明は、請求項１１に記載の発明に於いて、上記表示制御手段は、上記判定手段によって、上記可動モニタが上記収納位置にあると判定された場合には上記第２の姿勢検知手段の出力に基づき、上記可動モニタが上記収納位置に無いと判定された場合には上記第１の姿勢検知手段の出力に基づいて、上記可動モニタの表示面に表示する情報の向きを制御することを特徴とする。
【００１９】
請求項１３に記載の発明は、請求項９に記載の発明に於いて、上記可動モニタは、その表示面及び上記第１の検知手段が上記カメラ本体の長手方向を軸方向として回動可能に設けられていることを特徴とする。
【００２０】
請求項１４に記載の発明は、請求項７乃至１３の何れか１項に記載のカメラと、上記カメラの交換レンズが装着可能な電子顕微鏡と、を具備することを特徴とする。
【発明の効果】
【００２１】
本発明によれば、カメラ本体の姿勢に関係なく、ユーザがモニタの表示を見易い表示装置及びカメラ並びにカメラシステムを提供することができる。
【発明を実施するための最良の形態】
【００２２】
以下、図面を参照して、本発明の実施形態を説明する。
【００２３】
図１乃至図３は、本発明の一実施形態に係る一眼レフレックスタイプのデジタルカメラの外観構成を示すもので、図１は可動モニタをカメラ本体より引き出した状態のカメラを右側後方より見た斜視図、図２は可動モニタをカメラ本体より引き出して表示面を傾けた状態のカメラを右側後方より見た斜視図、図３は可動モニタをカメラ本体より引き出して表示面をベース部材より略９０°傾けた状態のカメラを右側後方より見た斜視図である。
【００２４】
この一眼レフレックスタイプのデジタルカメラ（以下、カメラと略記する）１は、レンズ鏡筒としての交換レンズ１０と、カメラ本体２０から主に構成されている。カメラ本体２０の前面には、所望の交換レンズ１０が着脱自在に設定されている。
【００２５】
カメラ本体２０のグリップ２０ａ側の上面には、レリーズ釦２１と、モードダイヤル２２と、パワースイッチレバー２３と、コントロールダイヤル２４等が設けられている。
【００２６】
レリーズ釦２１は、撮影準備動作及び露光動作を実行させるための釦である。このレリーズ釦２１は、第１レリーズスイッチと第２レリーズスイッチの２段式のスイッチで構成されており、レリーズ釦２１が半押し操作されることによって、第１レリーズスイッチがオンされて測光処理や測距処理などの撮影準備動作が実行される。また、レリーズ釦２１が全押し操作されることによって、第２レリーズスイッチがオンされて露光動作が実行される。
【００２７】
モードダイヤル２２は、撮影時の撮影モードを設定するための手動操作部材である。このモードダイヤル２２が所定方向に回転操作されることによって、撮影時の撮影モードが設定される。パワースイッチレバー２３は、当該カメラ１の電源のオン／オフをするための操作部材である。このパワースイッチレバー２３が回動操作されることにより、当該カメラ１のメイン電源のオン／オフが切り換えられる。コントロールダイヤル２４は、撮影情報の設定を行うための部材である。このコントロールダイヤル２４が操作されることにより、撮影時に種々の設定が行われる。
【００２８】
カメラ本体２０の背面部には、接眼光学系のファインダ２６と、所望のメニュー項目を選択するための十字キー３０及び選択した項目を決定するためのＯＫ釦３１と、撮影画像やメニュー等を表示するための表示手段を構成する可動モニタ部３８等が配置されている。尚、この可動モニタ部３８の詳細については後述する。
【００２９】
また、カメラ本体２０内には、該カメラ本体２０の姿勢を検知するための第２の姿勢検知スイッチとしての姿勢検知スイッチＢ３２が設けられている。
【００３０】
上記カメラ本体２０の背面側には、可動モニタ部３８を収納するための可動モニタ収納部３５が設けられている。この可動モニタ収納部３５は、カメラ本体２０の背面に凹部を形成して設けられている。そして、この可動モニタ収納部３５には、可動モニタ部３８をその表示面がカメラ本体２０の背面と略平行になるように移動可能に支持するための可動モニタ支持機構３６が設けられている。
【００３１】
上記可動モニタ部３８は、ベース部材４１と液晶パネル４２とから構成されている。ベース部材４１は、上記可動モニタ支持機構３６に取り付けられているもので、可動モニタ支持機構３６の動きに応じて、可動モニタ部３８の表示面を、可動モニタ収納部３５よりカメラ本体２０の背面と略平行に保持したまま移動する。一方、液晶パネル４２は、図示されない取り付け部材によって上記ベース部材４１に、光軸と直交する水平方向を中心に回動可能に取り付けられている。また、この液晶パネル４２は、液晶モニタ４３と第１の姿勢検知スイッチとしての姿勢検知スイッチＡ３９を内蔵した構成となっている。
【００３２】
また、可動モニタ収納部３５には、可動モニタ部３８が可動モニタ収納部３５内に収納されているか否かを検知するための収納検知スイッチとして、可動モニタスイッチ４０が設けられている。この可動モニタスイッチ４０は、可動モニタ部３８のベース部材４１によって押下されるか否かでオン／オフされるスイッチであり、押下されている状態がオフ、押下されていない状態がオンとなる。
【００３３】
尚、上記姿勢検知スイッチＡ３９及びＢ３２は、本実施形態に於いては直方体形状のものであり、それぞれ６つの面３９ａ〜３９ｆ、３２ａ〜３２ｆを有して成る。これらの姿勢検知スイッチＡ３９及びＢ３２の詳細については後述する。
【００３４】
図４は、本発明の一実施形態に係るカメラのシステム構成を示すブロック図である。
【００３５】
図４に於いて、上記交換レンズ１０は、上記カメラ本体２０の前面に設けられた、図示されないレンズマウントを介して着脱自在に装着可能である。そして、上記交換レンズ１０は、撮影レンズ１１ａ及び１１ｂと、絞り１２と、レンズ駆動機構１３と、絞り駆動機構１４と、レンズ制御用マイクロコンピュータ（以下、レンズＣＰＵと略記する）１５とから構成されている。
【００３６】
上記撮影レンズ１１ａ及び１１ｂは、レンズ駆動機構１３内に存在する図示されないＤＣモータによって、光軸方向に駆動される。絞り１２は、絞り駆動機構１４内に存在する図示されないステッピングモータによって駆動される。また、レンズＣＰＵ１５は、上記レンズ駆動機構１３や絞り駆動機構１４等、交換レンズ１０内の各部を駆動制御する。このレンズＣＰＵ１５は、通信コネクタ１８を介して、後述するカメラ本体用シーケンスコントローラ７０と電気的に接続（通信）がなされ、該シーケンスコントローラ７０の指令に従って制御される。上記レンズＣＰＵ１５には、レンズの種類、開放絞り値、焦点距離等の基本データが格納されており、上記通信によってシーケンスコントローラ７０に伝達される。
【００３７】
一方、カメラ本体２０は、以下のように構成されている。
【００３８】
交換レンズ１０内の撮影レンズ１１ａ及び１１ｂ、絞り１２を介して入射される図示されない被写体からの光束は、その一部にハーフミラーを有する可動ミラー（反射ミラー）５０で反射され、ファインダ光学系を構成するフォーカシングスクリーン５１、ペンタプリズム５２を介して接眼レンズ５３に至る。また、上記可動ミラー５０で反射され、フォーカシングスクリーン５１、ペンタプリズム５２を介した光束の一部は、測光センサ５４に至る。尚、可動ミラー５０は、ミラー駆動機構６０によって駆動制御される。
【００３９】
更に、可動ミラー５０のハーフミラーの部分を透過した被写体光束の一部は、該可動ミラー５０とは独立して作動するＡＦ用のサブミラー５６で反射されて、自動測距を行うための測距回路５７内の測距ユニット（図示せず）に導かれる。
【００４０】
光軸上で上記可動ミラー５０の後方には、シャッタ駆動機構６１により駆動されるフォーカルプレーンシャッタ６２と、光学系を通過した被写体像を光電変換するための撮像光学系の光電変換素子である撮像素子としてのＣＣＤ６３が設けられている。つまり、可動ミラー５０が撮影光路より退避した場合、撮影レンズ１１ａ、１１ｂ及び絞り１２を通った光束は、ＣＣＤ６３の撮像面上に結像される。
【００４１】
上記ＣＣＤ６３は、ＣＣＤ駆動回路６４を介して、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、以下ＡＳＩＣと略記する）６５内のＣＣＤインターフェース７３を介して、画像処理を行うための画像処理回路７４に接続されている。更に、この画像処理回路７４は、データバス７１を介して、表示制御手段及び判定手段の機能を有するシーケンスコントローラ（以下、ボディＣＰＵと略記する）７０と接続されている。
【００４２】
そして、ボディＣＰＵ７０には、データバス７１を介して、上述した画像処理回路７４の他、圧縮回路７５と、フラッシュメモリ制御回路７６と、ＳＤＲＡＭ７７と、入出力回路８０と、通信回路８１と、記録媒体制御回路８２と、ビデオ信号出力回路８３と、スイッチ検出回路８４と、が接続されている。
【００４３】
上記圧縮回路７５は、上記画像処理回路で処理された画像データを圧縮処理するための回路である。フラッシュメモリ制御回路７６及びＳＤＲＡＭ制御回路７７は、それぞれＡＳＩＣ６５外部の記憶手段であるフラッシュメモリ８６及びＳＤＲＡＭ８７を制御するための回路である。
【００４４】
上記入出力回路８０には、上述した測光センサ５４の他、ミラー駆動機構６０、シャッタ駆動機構６１、測距回路５７が接続されており、通信回路８１には通信コネクタ１８が、記録媒体制御回路８２には記録媒体９０が接続されている。
【００４５】
上記ビデオ信号出力回路８３には、液晶モニタ駆動回路９１を介して可動モニタ部３８内の液晶モニタ４３に接続されており、画像処理回路７４，圧縮処理回路７５頭で処理された画像データが液晶モニタ４３に表示されるようになっている。また、スイッチ検出回路８４は、上述した姿勢検知スイッチＡ３９及びＢ３２と、可動モニタスイッチ４０の他、上述したレリーズ釦２１に対応した第１、第２レリーズスイッチ等、このカメラ本体２０に設けられた各種スイッチ９２の状態を検出するための回路である。
【００４６】
ここで、図５を参照して、姿勢検知スイッチについて説明する。
【００４７】
図５は姿勢検知スイッチを説明するための図であって、（ａ）は簡単な回路構成を示した図、（ｂ）は姿勢検知スイッチの構造を示す外観斜視図、（ｃ）は姿勢検知スイッチの状態と出力信号との関係を示した表である。
【００４８】
尚、ここでは上述した姿勢検知スイッチＡ３９及び姿勢検知スイッチＢ３２に対応するものとして、姿勢検知スイッチ１００を代表的なものとして説明する。
【００４９】
姿勢検知スイッチ１００は、電源ＶccとグラウンドＧＮＤ間に接続されるもので、出力Ａ及びＢ側にそれぞれ抵抗Ｒ１及びＲ２が接続されている。そして、出力Ａ及びＢの信号が、スイッチ検出回路８４にて検出されて、このカメラの姿勢が検出されるようになっている。尚、姿勢検知センサは一般的に使用されているものであるので、その構造そのものの詳細については説明を省略する。
【００５０】
姿勢検知スイッチ１００は直方体形状を有しているもので、図５（ｂ）に示されるように、その６つの面１００ａ、１００ｂ、１００ｃ、１００ｄ、１００ｅ、１００ｆの何れの面が上に位置されるかによって出力信号Ａ、Ｂが決定される。ここで、上の面とは、姿勢検知スイッチ１００のうち上側に位置した面のことを指す。
【００５１】
そして、図５（ｃ）の表に示されるように、姿勢検知スイッチ１００の上の面が１００ａであった場合は、出力信号Ａ、Ｂは共に“０”である。また、姿勢検知スイッチ１００の上の面が１００ｂであった場合は、出力信号Ａは“０”、出力信号Ｂは“１”となる。同様に、姿勢検知スイッチ１００の上の面が１００ｃであった場合は、出力信号Ａは“１”、出力信号Ｂは“０”であり、姿勢検知スイッチ１００の上の面が１００ｄであった場合は、出力信号Ａ及びＢは共に“１”となる。
【００５２】
尚、ここで“１”は電位的にＨ（Ｖcc）レベルを示し、“０”はＬ（ＧＮＤ）レベルを示すことにする。
【００５３】
このうち、上の面が１００ａ、１００ｂ、１００ｃの場合は液晶モニタ４３に表示される画像は正像であり、１００ｄの場合は上下が反転した像となる。そして、姿勢検知スイッチ１００の上の面が１００ｅ若しくは１００ｆの場合は、これらの面１００ｅ、１００ｆが上の面に載置される１つ前の状態が保持される。
【００５４】
図６は、画像処理回路７４内の反転処理の概念を示すブロック構成図である。
【００５５】
図６に於いて、画像処理回路７４は、スルー画生成部１０５と、表示方向切り替えスイッチ１０６と、画像反転処理部１０７とを有している。上記スルー画生成部１０５では、ＣＣＤインターフェース７３を介して入力される被写体像データに対して、液晶モニタ４３に表示するために間引き処理、輝度変更処理等が行われて、スルー画（ライブビュー画像）の表示に適した画像処理がなされる。
【００５６】
次いで、表示方向切り替えスイッチ１０６では、上述した姿勢検知スイッチＡ３９及び姿勢検知スイッチＢ３２（姿勢検知スイッチ１００）からの出力信号に応じたスイッチ検出回路８４の表示方向切り替え信号に基づいて、画像反転処理の有無が選択される。ここで、表示方向切り替えの必要が無い場合は、画像反転処理部１０７を介さずにスルー画の画像データが出力される。一方、表示方向切り替えが必要な場合は、表示方向切り替えスイッチ１０６が切り替えられて画像反転処理部１０７にてスルー画の画像の上下方向が反転される。そして、ここで上下方向が反転されたスルー画が、画像データとして出力される。
【００５７】
次に、図７を参照して、本実施形態に於けるカメラの撮影動作の流れについて説明する。
【００５８】
このカメラの表示モードとしては、撮影情報を表示するための情報表示モードと、常に被写体の画像を液晶モニタに表示するスルー画表示モードが存在する。これらの表示モードの切り替えは、モードダイヤル２２の操作によって行われる。
【００５９】
いま、情報表示モードに於いて、レリーズ釦２１が操作されてファーストレリーズ（１Ｒ）スイッチがオンされると、撮影準備動作に入る。この状態で、測光センサ５４及び測距回路５７によりＡＥ（自動露光）及びＡＦ（自動測距）の処理が行われる。そして、レリーズ釦２１が操作されてセカンドレリーズ（２Ｒ）スイッチがオンされると、撮影動作Ａとしての撮影が行われる。この撮影動作Ａが終了（セカンドレリーズスイッチオフ）すると撮影準備動作に戻り、更にファーストレリーズスイッチがオフにされると、モード切り替え操作が可能な状態になる。
【００６０】
一方、スルー画表示モードに於いては、可動ミラー５０は撮影光路より退避された状態である。したがって、ファーストレリーズスイッチがオンされても状態は変わらず、セカンドレリーズスイッチがオンされると、撮影動作Ｂとしての撮影が行われる。そして、この撮影動作Ｂが終了すると、モード切り替え操作が可能な状態になる。
【００６１】
尚、これら情報表示モード、スルー画表示モードの切り替えはモードダイヤルの操作によって行われるが、パワースイッチレバー２３の操作による電源オン時は、電源がオフにされる前の状態のモードが設定されるようになっている。
【００６２】
次に、図８乃至図１０のフローチャートを参照して、本発明の一実施形態に於けるカメラの撮影動作について説明する。尚、これらのフローチャートによる処理動作は、主にシーケンスコントローラ７０の指令に従って行われる。
【００６３】
図８は、スルー画表示モードに於けるカメラの動作を説明するためのフローチャートである。
【００６４】
本スルー画表示モードに入ると、先ずステップＳ１にて、ＣＣＤ駆動回路６４を介してＣＣＤ６３の電源がオンされる。次いで、ステップＳ２にて、測光センサ５４、測距回路５７及びシーケンスコントローラ７０によって、測光、露光量の演算が行われる。更にステップＳ３で、ミラー駆動機構６０によって可動ミラー５０が撮影光路外に退避（ミラーアップ）されと、ステップＳ４に於いてミラーアップが完了したか否かが判定される。ここで、ミラーアップが完了するとステップＳ５へ移行する。
【００６５】
ステップＳ５では、シャッタ駆動機構６１によってフォーカルプレーンシャッタ６２が操作されてシャッタが開かれる。そして、サブルーチン「スルー画条件の設定１」が実行される。
【００６６】
図９（ａ）は、図８のフローチャートに於けるステップＳ６のサブルーチン「スルー画条件の設定１」の詳細な動作を説明するフローチャートである。このサブルーチン「スルー画条件の設定１」は、撮影動作が開始されると、初めに１回だけ行われるものである。
【００６７】
スルー画条件の設定とは、被写体の明るさに応じて、液晶モニタ４３に表示される画像の明るさを設定するために行われるものである。
【００６８】
本サブルーチンに入ると、可動ミラー５０が撮影光路内に配置された状態であるので、先ずステップＳ３１にて、測光センサ５４の出力ＢＶｓから、次回撮像時の電子シャッタスピードＴＶ１と感度（ＣＣＤ６３のゲイン）ＳＶ１とが決定される。初めは絞り１２は開放の状態である。次に、ステップＳ３２にて、上記電子シャッタスピードＴＶ１と感度ＳＶ１が、画像処理回路７４に設定される。この画像処理回路７４に設定されることにより、ＣＣＤインターフェース７３を介してＣＣＤ駆動回路６４にて、上記ＴＶ１、ＳＶ１が設定される。
【００６９】
そして、続くステップＳ３３にて、サブルーチン「姿勢検知」が実行される。このサブルーチン「姿勢検知」の詳細な動作については後述する。
【００７０】
その後、図８のフローチャートのステップＳ７に移行する。
【００７１】
ステップＳ７では、スルー画の表示開始処理がなされる。次いで、ステップＳ８に於いて、レリーズ釦２１によるセカンドレリーズスイッチの状態が判定される。ここで、セカンドレリーズスイッチがオンされていればステップＳ１６へ移行し、オンされていなければステップＳ９に移行する。ステップＳ９に於いては、モードダイヤル２２による表示切り替えの状態が判定される。そして、ここで表示切り替えがなされている場合はステップＳ１１へ移行し、切り替えられていない場合はステップＳ１０に移行する。
【００７２】
ステップＳ１０では、サブルーチン「スルー画条件の設定２」が実行される。
【００７３】
図９（ｂ）は、図８のフローチャートに於けるステップＳ１０のサブルーチン「スルー画条件の設定２」の詳細な動作を説明するフローチャートである。
【００７４】
本サブルーチンに入ると、先ず、ステップＳ４１にて、狙いの画像明度と前回撮像時の画像明度との差であるΔＥＶが算出される。次いで、ステップＳ４２にて、以下の条件から、次回撮像時の電子シャッタスピードＴＶ１と感度ＳＶ１が決定される。ここで求められる条件とは、前回撮像時の絞り値ＡＶ０、現在設定されている絞り値ＡＶ１、前回撮像時の電子シャッタスピードＴＶ０、前回撮像時の感度ＳＶ０、上記差ΔＥＶである。
【００７５】
こうして、上記ステップＳ４２で得られた次回撮像時の電子シャッタスピードＴＶ１と感度ＳＶ１が設定される。次いで、ステップＳ４４にて、サブルーチン「姿勢検知」が実行される。このサブルーチン「姿勢検知」の詳細な動作については後述する。
【００７６】
その後、図８のフローチャートのステップＳ８に移行する。そして、ステップＳ８にてセカンドレリーズスイッチがオンされるか、ステップＳ９にてモードダイヤル２２による表示切り替えが行われない限り、ステップＳ８、Ｓ９、Ｓ１０が繰り替えされて、サブルーチン「スルー画条件の設定２」が実行されて液晶モニタ４３の明るさが更新される。
【００７７】
上記ステップＳ８にてセカンドレリーズスイッチがオンされたならば、ステップＳ１１に移行して、上記ステップＳ７で開始されたスルー画の表示が停止される。次いで、ステップＳ１２にてフォーカルプレーンシャッタ６２が閉じられる。更に、ステップＳ１３にて、可動ミラー５０の撮影光路内への移動（ミラーダウン）及びシャッタ駆動機構６１によるシャッタチャージが行われる。そして、ステップＳ１４に於いて、ミラーダウンが完了したならば、撮影動作Ｂが実行される。
【００７８】
また、上記ステップＳ９にて表示切り替えが行われたならば、ステップＳ１５に移行して上記ステップＳ７で開始されたスルー画の表示が停止される。次いで、ステップＳ１６にてフォーカルプレーンシャッタ６２が閉じられる。そして、ステップＳ１７にて、可動ミラー５０の撮影光路内への移動（ミラーダウン）及びシャッタ駆動機構６１によるシャッタチャージが行われる。続くステップＳ１８にて、ミラーダウンが完了したならば、ステップＳ１９に移行してメインのＣＣＤ６２の電源がオフにされる。その後、図７に示されるように、現在のスルー画表示モードから情報表示モードにモードが切り替えられる。
【００７９】
次に、図１０のフローチャートを参照して、図９（ａ）のフローチャートのステップＳ３３及び図９（ｂ）のフローチャートのステップＳ４４に於けるサブルーチン「姿勢検出」の動作について説明する。
【００８０】
本サブルーチンに入ると、先ず、ステップＳ５１に於いて、可動モニタスイッチ４０の状態が判定される。ここで、可動モニタスイッチ４０がオフ状態であればステップＳ５２へ移行し、オン状態であればステップＳ５９に移行する。
【００８１】
ステップＳ５２では、カメラ本体２０内に設けられた姿勢検知スイッチＢ３２の出力からカメラ本体２０の姿勢が検知されるべく処理が行われる。そして、ステップＳ５３に於いて、現在のカメラ本体２０は正位置であるか否かが判定される。ここで、正位置とは、カメラ本体２０をユーザが構えたときに、その長手方向が略水平方向となる位置であり、姿勢検知スイッチＢ３２の面３２ａが上側に位置した状態のことである。その結果、カメラ本体２０が正位置であればステップＳ５８に移行し、そうでなければステップＳ５４に移行する。
【００８２】
ステップＳ５４では、現在のカメラ本体２０はグリップ２０ａ側が上に位置しているか否か、すなわち、姿勢検知スイッチＢ３２の面３２ｃが上側に位置しているか否かが判定される。その結果、カメラ本体２０のグリップ２０ａ側が上に位置していればステップＳ５８に移行し、そうでなければステップＳ５４に移行する。
【００８３】
同様に、ステップＳ５５では、現在のカメラ本体２０はグリップ２０ａ側が下に位置しているか否か、すなわち、姿勢検知スイッチＢ３２の面３２ｂが上側に位置しているか否かが判定される。その結果、カメラ本体２０のグリップ２０ａ側が下に位置していればステップＳ５８に移行し、そうでなければステップＳ５６に移行する。
【００８４】
そして、ステップＳ５６では、現在のカメラ本体２０は上下が逆に構えられているか否か、すなわち、姿勢検知スイッチＢ３２の面３２ｄが上側に位置しているか否かが判定される。その結果、カメラ本体２０の上下が逆であればステップＳ５７に移行し、そうでなければステップＳ５８に移行する。
【００８５】
ステップＳ５７では、液晶モニタ４３に表示する画像を、上下を反転させて表示させる。一方、ステップＳ５８では、液晶モニタ４３に表示する画像は正位置で表示される。その後、本サブルーチンを抜けて、図８のフローチャートのステップＳ７またはステップＳ８に移行する。
【００８６】
一方、ステップＳ５９では、可動モニタ部３８内に設けられた姿勢検知スイッチＡ３９の出力から、現在の液晶パネル４２の姿勢が検知されるべく処理が行われる。そして、ステップＳ６０に於いて、液晶パネル４２は正位置であるか否かが判定される。ここでいう正位置とは、液晶パネル４２の長手方向が略水平方向となる位置であり、姿勢検知スイッチＡ３９の面３９ａが上側に位置した状態のことである。その結果、液晶パネル４２が正位置であればステップＳ６５に移行し、そうでなければステップＳ６１に移行する。
【００８７】
ステップＳ６１では、現在の液晶パネル４２はグリップ２０ａ側を上としているか否かが判定される。すなわち、姿勢検知スイッチＡ３９の面３９ｃが上側に位置しているか否かが判定される。その結果、液晶パネル４２はグリップ２０ａ側を上としていればステップＳ６５に移行し、そうでなければステップＳ６２に移行する。
【００８８】
同様に、ステップＳ６２では、現在の液晶パネル４２はグリップ２０ａ側を下としているか否かが判定される。すなわち、姿勢検知スイッチＡ３９の面３９ｂが上側に位置しているか否かが判定される。その結果、液晶パネル４２はグリップ２０ａ側を下としていればステップＳ６５に移行し、そうでなければステップＳ６３に移行する。
【００８９】
そして、ステップＳ６３では、現在の液晶パネル４２は上下が逆であるか否か、すなわち、姿勢検知スイッチＡ３９の面３９ｄが上側に位置しているか否かが判定される。その結果、液晶パネル４２の上下が逆であればステップＳ６４に移行し、そうでなければステップＳ６５に移行する。
【００９０】
ステップＳ６４では、液晶モニタ４３に表示する画像を、上下を反転させて表示させる。一方、ステップＳ６５では、液晶モニタ４３に表示する画像は正位置で表示される。その後、本サブルーチンを抜けて、図８のフローチャートのステップＳ７またはステップＳ８に移行する。
【００９１】
このように、カメラ本体の姿勢に関係無く、可動モニタ部３８内の姿勢検知スイッチＡ３９によって液晶パネル４２に表示される画像の向きが決定されるので、ユーザにとってモニタの表示が見易くなる。
【００９２】
図１１は、このような構成のカメラを電子顕微鏡に装着した一例を示したもので、（ａ）は外観斜視図、（ｂ）は（ａ）の状態のときの姿勢検知スイッチＡ３９の面位置を示した図である。
【００９３】
図１１（ａ）に於いて、カメラの交換レンズ１０が、図示されないマウント部材等によって電子顕微鏡１１０に装着されている。この状態では、可動モニタ部３８は、カメラ本体２０より引き出されて回転された状態となっている。このときの姿勢検知スイッチＡ３９は、面３９ｄが上側に位置されている。したがって、上述したように、液晶モニタ４３には上下方向が反転した画像が表示されることになる。
【００９４】
以上、本発明の実施形態について説明したが、本発明は上述した実施形態に限定されるものではなく、本発明の要旨を逸脱しない範囲で種々の変形実施が可能であるのは勿論である。
【００９５】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００９６】
【図１】本発明の一実施形態に係る一眼レフレックスタイプのデジタルカメラの外観構成を示すもので、可動モニタをカメラ本体より引き出した状態のカメラを右側後方より見た斜視図である。
【図２】本発明の一実施形態に係る一眼レフレックスタイプのデジタルカメラの外観構成を示すもので、可動モニタをカメラ本体より引き出して表示面を傾けた状態のカメラを右側後方より見た斜視図である。
【図３】本発明の一実施形態に係る一眼レフレックスタイプのデジタルカメラの外観構成を示すもので、可動モニタをカメラ本体より引き出して表示面をベース部材より略９０°傾けた状態のカメラを右側後方より見た斜視図である。
【図４】本発明の一実施形態に係るカメラのシステム構成を示すブロック図である。
【図５】姿勢検知スイッチを説明するための図であって、（ａ）は簡単な回路構成を示した図、（ｂ）は姿勢検知スイッチの構造を示す外観斜視図、（ｃ）は姿勢検知スイッチの状態と出力信号との関係を示した表である。
【図６】図４の画像処理回路７４内の反転処理の概念を示すブロック構成図である。
【図７】本発明の一実施形態に於けるカメラの撮影動作の流れについて説明する図である。
【図８】本発明の一実施形態に於けるカメラの撮影動作について説明するもので、スルー画表示モードに於けるカメラの動作を説明するためのフローチャートである。
【図９】（ａ）は、図８のフローチャートに於けるステップＳ６のサブルーチン「スルー画条件の設定１」の詳細な動作を説明するフローチャート、（ｂ）は、図８のフローチャートに於けるステップＳ１０のサブルーチン「スルー画条件の設定２」の詳細な動作を説明するフローチャートである。
【図１０】図９（ａ）のフローチャートのステップＳ３３及び図９（ｂ）のフローチャートのステップＳ４４に於けるサブルーチン「姿勢検出」の動作について説明するフローチャートである。
【図１１】本発明の一実施形態に係るカメラを電子顕微鏡に装着した一例を示したもので、（ａ）は外観斜視図、（ｂ）は（ａ）の状態のときの姿勢検知スイッチＡ３９の面位置を示した図である。
【符号の説明】
【００９７】
１…カメラ、１０…交換レンズ、１１ａ、１１ｂ…撮影レンズ、１２…絞り、１３…レンズ駆動機構、１４…絞り駆動機構、１５…レンズ制御用マイクロコンピュータ（レンズＣＰＵ）、１８…通信コネクタ、２０…カメラ本体、２０ａ…グリップ、２１…レリーズ釦、２２…モードダイヤル、２３…パワースイッチレバー、２４…コントロールダイヤル、２６…ファインダ、３０…十字キー、３１…ＯＫ釦３１と、３２…姿勢検知スイッチＢ、３５…可動モニタ収納部、３６…可動モニタ支持機構、３８…可動モニタ部、３９…姿勢検知スイッチＡ、４０…可動モニタスイッチ、４１…ベース部材、４２…液晶パネル、４３…液晶モニタ、５０…可動ミラー、５１…フォーカシングスクリーン、５２…ペンタプリズム、５３…接眼レンズ、５４…測光センサ、５６…サブミラー、６０…ミラー駆動機構、６１…シャッタ駆動機構、６２…フォーカルプレーンシャッタ、６３…ＣＣＤ、６４…ＣＣＤ駆動回路、６５…特定用途向け集積回路（ＡＳＩＣ）、７０…シーケンスコントローラ（ボディＣＰＵ）、７１…データバス、７３…ＣＣＤインターフェース、７４…画像処理回路、７５…圧縮回路、７６…フラッシュメモリ制御回路、７７…ＳＤＲＡＭ、８０…入出力回路、８１…通信回路、８２…記録媒体制御回路、８３…ビデオ信号出力回路、８４…スイッチ検出回路、８６…フラッシュメモリ、８７…ＳＤＲＡＭ、９０…記録媒体、９１…液晶モニタ駆動回路、９２…各種スイッチ。
【図１】
2007310160.tif 000003
【図２】
2007310160.tif 000004
【図３】
2007310160.tif 000005
【図４】
2007310160.tif 000006
【図５】
2007310160.tif 000007
【図６】
2007310160.tif 000008
【図７】
2007310160.tif 000009
【図８】
2007310160.tif 000010
【図９】
2007310160.tif 000011
【図１０】
2007310160.tif 000012
【図１１】
2007310160.tif 000013